(57)【特許請求の範囲】
【請求項１】
作業者の背中に背負われ、反作業者側に呼吸器が取り付けられる背負いプレートと、
前記背負いプレートの上部に設けられ、吊上具が係合可能な第１係合部と、
一端側が前記作業者の左・右太腿部に装着され、他端側が前記背負いプレートの左・右下端部にそれぞれ連結可能な左・右一対のレッグベルト部と、
一端側が前記背負いプレートの上部に接続され、前記作業者の肩越しに当該作業者の胸側を経て当該作業者の腋下を通された後、他端側が前記背負いプレートの下部へと接続される、左・右一対の背負いストラップ部と、
一端側に吊上具が係合可能な第２係合部を備え、他端側が前記背負いプレートの前記左・右下端部にそれぞれ連結可能に構成され、前記一端側と前記他端側との中間部が前記背負いストラップ部に連結された、胸腹ベルト部と、
を有することを特徴とする作業者保持具。
【請求項２】
請求項１記載の作業者保持具において、
前記レッグベルト部は、
前記作業者が履く作業用ズボンの太腿部に巻回配置されている巻回部と、
前記作業用ズボンから露出し延設されて前記背負いプレートの前記下端部に連結可能な延設部と、
を備えており、
前記作業用ズボンに設けた収納部内に前記巻回部及び前記延設部が一体となって収納可能に構成されている
ことを特徴とする作業者保持具。
【請求項３】
請求項２記載の作業者保持具において、
前記レッグベルト部の延設部は、
前記収納部から取り出され前記背負いプレートの前記下端部へと連結された状態では、前記作業用ズボンの外部において、前記作業者が羽織る作業用上着に設けた開口部を通されつつ前記下端部へと延設される
ことを特徴とする作業者保持具。
【請求項４】
請求項１乃至請求項３のいずれか１項記載の作業者保持具において、
前記背負いプレートのうち前記作業者側の下部に取り付けられた腰当て部と、
前記腰当て部から一方側及び他方側へとそれぞれ連設され、当該腰当て部から前記作業者の腰部を一周するように巻回されて前記腰当て部とともに前記腰部を保持する、腰ベルト部と、
をさらに有することを特徴とする作業者保持具。
【請求項５】
請求項４記載の作業者保持具において、
前記胸腹ベルト部は、
前記作業者から見た左側部分と右側部分とを連結・開放可能に構成された第１解結部を備えており、
前記腰ベルト部は、
前記作業者から見た左側部分と右側部分とを連結・開放可能に構成された第２解結部を備えており、
前記第１解結部及び前記第２解結部は、
前記作業者から見た左右方向における前記作業者の中心線よりも左側又は右側に偏心した位置に設けられている
ことを特徴とする作業者保持具。
【発明の詳細な説明】
【技術分野】
【０００１】
本発明は、高所作業に従事していた作業者を吊り上げる時に当該作業者を保持する作業者保持具に関する。
【背景技術】
【０００２】
例えば空気呼吸器を背負って消防活動を行う消防士に関する技術として、特許文献１が知られている。この従来技術では、ガスボンベが取り付けられる背負い具が、消防士の肩越しに巻回されるベルトと、消防士の腰まわり巻回されるベルトと、によって消防士により支持されている。
【先行技術文献】
【特許文献】
【０００３】
【特許文献１】２０１９−２０５７８４号公報
【発明の概要】
【発明が解決しようとする課題】
【０００４】
一般に、高所作業に従事する作業者の作業時の安全確保としては「安全帯」が用いられる。上記従来技術に記載のように、例えば消防活動中の消防士は空気呼吸器を背負う場合があることから、通常、安全帯としては、消防士の胴部に連結される胴ベルト型の安全帯が使用される。
【０００５】
しかしながら、例えば作業中に誤って消防士が高所から落下し宙づり状態となった場合、上記胴ベルト型安全帯を着用していると消防士は「く」の字状に腰が屈折した状態となり、腰や胴体に大きな牽引荷重が加わる。特に呼吸器を着装している場合は、呼吸器の重量が消防士の上半身に追加で加わることとなり、落下動作が止まって宙づりになるときに屈折した腰へ加わる衝撃は相当に大きくなる。さらに、宙づり状態から吊り上げて救出するまでの間に長時間を要した場合には、呼吸器及び防火衣の大重量に由来する大きな牽引荷重の作用により、例えば内臓損傷などの受傷を消防士が被る危険もある。
【０００６】
なお、呼吸器を背負った状態で活動を行う状況があり得る他の作業者、例えば山岳救助隊員、自衛隊員、警察官、その他の特殊作業従事者等においても、同様の課題がある。
【０００７】
本発明の目的は、呼吸器を背負って吊られる状態となった作業者の身体的負担を低減できる作業者保持具を提供することにある。
【課題を解決するための手段】
【０００８】
上記目的を達成するために、本願発明は、作業者の背中に背負われ、反作業者側に呼吸器が取り付けられる背負いプレートと、前記背負いプレートの上部に設けられ、吊上具が係合可能な第１係合部と、一端側が前記作業者の左・右太腿部に装着され、他端側が前記背負いプレートの左・右下端部にそれぞれ連結可能な左・右一対のレッグベルト部と、一端側が前記背負いプレートの上部に接続され、前記作業者の肩越しに当該作業者の胸側を経て当該作業者の腋下を通された後、他端側が前記背負いプレートの下部へと接続される、左・右一対の背負いストラップ部と、一端側に吊上具が係合可能な第２係合部を備え、他端側が前記背負いプレートの前記左・右下端部にそれぞれ連結可能に構成され、前記一端側と前記他端側との中間部が前記背負いストラップ部に連結された、胸腹ベルト部と、を有することを特徴とする。
【０００９】
本願発明の作業者保持具においては、上部に第１係合部を備え呼吸器が取り付けられる背負いプレートと、左・右一対のレッグベルト部と、を有する。各レッグベルト部は、一端側が作業者の太腿部に装着され、他端側が背負いプレートの下端部に連結可能である。これにより、予めレッグベルト部を背負いプレートに連結した状態で高所作業を行うことで、作業者が宙づり状態になった時（又は救出のために吊り上げられる時）に加わる牽引荷重を、第１係合部→背負いプレート上部→背負いプレート左・右下端部→左・右レッグベルト部の経路で作業者の左・右太腿部へと作用させることができる。この結果、作業者は、背負いプレートを背負った状態で背負いプレートごと背中側から吊られる状態（以下適宜、この状態を「後吊り状態」と称する）となるとともに、上記経路によって太腿部においても吊られた状態となる。これにより、この後吊り状態において、作業者を直立状態になるべく近い姿勢で安定的かつ安全な状態に維持することができ、作業者の身体的負担を大きく低減することができる。特に、胴ベルト型安全帯を用いる場合のような腰部の屈折や受傷の危険等が生じるのを防止できる。
【発明の効果】
【００１０】
本発明によれば、呼吸器を背負って吊られる状態となった作業者の身体的負担を低減することができる。
【図面の簡単な説明】
【００１１】
【図１】本発明の一実施形態による作業者保持具に備えられる背負いプレートの正面外観構造を、その周囲の要部構造とともに表す正面外観図である。
【図２】背負いプレートの背面外観構造を、その周囲の要部構造とともに表す背面外観図である。
【図３】背負いプレートの詳細構造を表す平面図である。
【図４】背負いプレートの詳細構造を、図３中のＡ方向からやや見上げた状態で表す斜視図である。
【図５】作業員が作業服を着用し背負いプレートを背負っている状態における胸腹ベルト部の詳細構造を、その周囲の要部構造とともに表す正面図である。
【図６】作業員が作業服を着用し背負いプレートを背負っている状態におけるレッグベルトの詳細構造を、その周囲の要部構造とともに表す正面図である。
【図７】レッグベルトの使用前にズボンの収納部に収納されている状態を表す正面図である。
【図８】レッグベルトの使用時に収納部を覆うカバーを開いた状態を表す正面図である。
【図９】レッグベルトの使用時に収納部から取り出した状態を表す正面図である。
【図１０】レッグベルトの使用時に延設部を通すための上着の開口部を表す、略左方からの斜視図である。
【図１１】作業員が後吊りされている状態を表す斜視図である。
【図１２】作業員が前吊りされている状態を表す斜視図である。
【発明を実施するための形態】
【００１２】
以下、本発明の一実施形態を図面を参照しつつ説明する。なお、以下の説明において、上下方向、前後方向、左右方向は、作業者Ｍから見た向きで表し、各図中に適宜示す矢印方向に対応している。
【００１３】
＜作業者保持具の全体構造＞
図１及び図２に示すように、作業者保持具１は、作業者Ｍの背中に背負われるとともに反作業者Ｍ側に呼吸器（図示省略）が取り付けられる背負いプレート２０と、左・右一対の背負いストラップ部６０Ｌ，６０Ｒと、腰当て部８０と、胸腹ベルト部１００と、を有する。
【００１４】
＜背負いプレート＞
背負いプレート２０のうち、作業者Ｍ側の上部には、吊上具としての吊上カラビナＣＲ（後述の図１１参照）が係合可能な四角リンク２０Ａ（第１係合部に相当）が設けられており、反作業者Ｍ側の左・右の下端には、平板四角形状の基部２０ｂに略半円環状のリング部２０ａが一体的に形成された左・右アイプレート２０ＢＬ，２０ＢＲが設けられている。以下適宜、これらアイプレート２０ＢＬ，２０ＢＲを総称して単に「アイプレート２０Ｂ」と称する場合がある。図示も同様である。
【００１５】
背負いプレート２０の詳細構造を表す平面図を図３に、図３中に示すＡ方向からやや見上げるように見た斜視図を図４に示す。なお、図４においては図示の煩雑を防止するために、前述の四角リンク２０Ａ、後述の貫通孔２０Ｃ，２０Ｄ，２０Ｅの図示を省略している。
【００１６】
これら図３及び図４において、背負いプレート２０は全体的に概ね「逆Ｔ字型」の形状を有し、左右方向の最大寸法Ｗ２（例えばＷ２＝４１０ｍｍ）、上下方向の最大寸法Ｌ１（例えばＬ１＝５６０ｍｍ）、を備えている。この背負いプレート２０は、略平板状の中央部２１と、左・右下端に位置し上記左・右アイプレート２０ＢＬ，２０ＢＲが設けられる左・右アイプレート支持部２３Ｌ，２３Ｒと、中央部２１と左・右アイプレート支持部２３Ｌ，２３Ｒとの間に位置しそれらを斜めに接続するように配置される左・右中間部２２Ｌ，２２Ｒと、から構成されている。
【００１７】
中央部２１は、左右方向の最大寸法Ｗ１（例えばＷ１＝１５０ｍｍ）、上下方向寸法Ｌ２（例えばＬ１＝５３０ｍｍ）、を備えている。またその左・右端には、強度補強用のリブ２９Ｌ，２９Ｒがそれぞれ設けられている。
【００１８】
左・右アイプレート支持部２３Ｌ，２３Ｒは、それぞれ、左右方向寸法Ｗ４（例えばＷ４＝６０ｍｍ）、上下方向寸法Ｌ４（例えばＬ４＝８０ｍｍ）、を備えている。左・右中間部２２Ｌ，２２Ｒは、それぞれ、左右方向寸法Ｗ３（例えばＷ３＝７０ｍｍ）を備えている。また、左・右中間部２２Ｌ，２２Ｒは、中央部２１との境界においては、上下方向寸法Ｌ３（例えばＬ３＝１５０ｍｍ）を備えている。この結果、左・右アイプレート支持部２３Ｌ，２３Ｒの下端は、中央部２１の下端よりも上下方向寸法Ｌ５（例えばＬ５＝３０ｍｍ）だけ下方に位置している。左・右中間部２２Ｌ，２２Ｒ及び左・右アイプレート支持部２３Ｌ，２３Ｒの左・右端には、強度補強用のリブ２８Ｌ，２８Ｒがそれぞれ設けられている。
【００１９】
また図４に示すように、背負いプレート２０は、中央部２１、左・右中間部２２Ｌ，２２Ｒ、左・右アイプレート支持部２３Ｌ，２３Ｒの順で、折り曲げられて順次屈曲する形状となっている。すなわち、中央部２１と左・右中間部２２Ｌ，２２Ｒとの間は角度θ１（９０°＜θ１＜１８０°）をもって屈曲しており、さらに右中間部２２Ｌ，２２Ｒと左・右アイプレート支持部２３Ｌ，２３Ｒとの間は角度θ２（９０°＜θ２＜１８０°）をもって屈曲している。このように２段階で角度をつけることにより、後述する作業服Ｄを着用した状態の作業者Ｍの腰部に対し、背負いプレート２０が自然に密着するよう、図られている
【００２０】
左・右アイプレート支持部２３Ｌ，２３Ｒの下端位置が左・右中間部２２Ｌ，２２Ｒの下端位置よりも寸法Ｌ５だけ下方に下がっている。これにより、アイプレート２０Ｂに荷重がかかった際の背負いプレート２０全体の前屈方向への動きを減少させることができる。
【００２１】
また、本実施形態では、左・右アイプレート支持部２３Ｌ，２３Ｒにそれぞれ設けられた左・右アイプレート２０ＢＬ，２０ＢＲのリング部２０ａの先端部分が、リブ２８Ｌ，２８Ｒの先端が確定する背負いプレート２０の左右方向における最大外形寸法ＷＷの範囲内に位置している。これにより、アイプレート２０Ｂのリング部２０ａの先端部分が背負いプレート２０の最大外形範囲よりも外側へ飛び出さない寸法関係となるので、活動中の作業者Ｍの腕振り動作などで腕がアイプレート２０Ｂに接触するのを防止できる。
【００２２】
＜背負いストラップ部＞
図１に示すように、背負いストラップ部６０Ｌ，６０Ｒは、それぞれ、作業者Ｍの肩に担がれる太幅の肩当て部６０ａと、肩当て部６０ａよりも図１中の上側に設けられる上ベルト部６０ｂと、肩当て部６０ａよりも図１中の下側に設けられる下ベルト部６０ｃと、を有する。なお、以下適宜、背負いストラップ部６０Ｌ，６０Ｒを総称して単に「背負いストラップ部６０」と称する場合がある。図示も同様である。
【００２３】
このとき、背負いストラップ部６０の一端側に相当する上記上ベルト部６０ｂが、背負いプレート２０の上部に接続されている。詳細には、図２に示すように、上ベルト部６０ｂが、背負いプレート２０の作業者Ｍ側から当該背負いプレート２０の上部に設けた貫通孔２０Ｃを貫通した後、背負いプレート２０の反作業者Ｍ側においてバックル６０ｄとなっている。
【００２４】
貫通孔２０Ｃの内径は上ベルト部６０ｂが貫通可能である限りにおいてなるべく小さく形成されており、バックル６０ｄは貫通孔２０Ｃを貫通できない。これにより、作業者Ｍが背負いプレート２０を背負う際に背負いストラップ部６０が作業者Ｍ側へ引っ張られたとしても、バックル６０ｄが貫通孔２０Ｃよりも反作業者Ｍ側に留まることで、背負いストラップ部６０が係止される。
【００２５】
背負いストラップ部６０は、上記のようにして一端側の上記上ベルト部６０ｂが背負いプレート２０の上部に接続された状態で、後述の図５及び図２に示すように作業者Ｍの肩越しに当該作業者Ｍの胸側を経て当該作業者Ｍの腋下を通された後、他端側に相当する上記下ベルト部６０ｃが背負いプレート２０の下部へと接続される。詳細には、下ベルト部６０ｃが、背負いプレート２０の作業者Ｍ側から当該背負いプレート２０の下部に設けた貫通孔２０Ｄを貫通した後、背負いプレート２０の反作業者Ｍ側においてバックル６０ｅとなっている。
【００２６】
貫通孔２０Ｄの内径は下ベルト部６０ｃが貫通可能である限りにおいてなるべく小さく形成されており、バックル６０ｅは貫通孔２０Ｄを貫通できない。これにより、上記バックル６０ｄと同様、作業者Ｍが背負いプレート２０を背負う際に背負いストラップ部６０が作業者Ｍ側へ引っ張られたとしても、バックル６０ｅが貫通孔２０Ｄよりも反作業者Ｍ側に留まることで、背負いストラップ部６０が係止される。
【００２７】
＜腰当て部及び腰ベルト部＞
図１に示すように、腰当て部８０は、背負いプレート２０のうち作業者Ｍ側の下部に取り付けられている。詳細には、腰当て部８０の反作業者Ｍ側に一体的に設けられた左・右一対の取付ベルト部８０ａＬ，８０ａＲが、背負いプレート２０の下部（詳細には貫通孔２０Ｄの下方）にそれぞれ設けた貫通孔２０Ｅに通されることにより、腰当て部８０が背負いプレート２０に対し一体化されている。
【００２８】
また、腰当て部８０の左側（一方側に相当）及び右側（他方側に相当）へは、左・右腰ベルト部９０Ｌ，９０Ｒがそれぞれ連設されている。腰ベルト部９０Ｌ，９０Ｒは、腰当て部８０から作業者Ｍの腰部を一周するように巻回されて腰当て部８０とともに作業者Ｍの腰部を保持する。以下適宜、それら左・右腰ベルト部９０Ｌ，９０Ｒを総称して単に「腰ベルト部９０」と称する場合がある。図示も同様である。
【００２９】
腰ベルト部９０においては、作業者Ｍから見た左側部分となる上記左腰ベルト部９０Ｌと右側部分となる右腰ベルト部９０Ｒとを連結・開放可能に構成された解結機構９１（第２解結部に相当）を備えている。解結機構９１は、この例では左腰ベルト部９０Ｌに一体化されたトング部９１ａと、右腰ベルト部９０Ｒに一体化されたバックル部９１ｂと、を備えており、これらトング部９１ａ及びバックル部９１ｂが手動操作によって適宜に連結・解放可能となっている。なお、解結機構９１は、図５に示すように、作業者Ｍから見た左右方向における作業者Ｍの中心線Ｋよりも左側（なお右側でもよい）に偏心した位置に設けられている。
【００３０】
＜胸腹ベルト部＞
胸腹ベルト部１００は、一端側に相当する係止具ベルト１２０と、中間部に相当する左・右一対の胸ベルト１１０Ｌ，１１０Ｒと、他端側に相当する左・右一対の腹ベルト１３０Ｌ，１３０Ｒと、が備えられている。
【００３１】
＜係止具ベルト＞
係止具ベルト１２０の端部（図５の図示においては下端部）は、図示しない適宜の取付具を介し、胸ベルト１１０の左右方向中央部に一体的に取り付けられている。係止具ベルト１２０には、吊上具としての吊上カラビナＣＦが係合可能なリング１２１（第２係合部に相当）が係合されている。
【００３２】
＜胸ベルト＞
左・右胸ベルト１１０Ｌ，１１０Ｒは、左背負いストラップ部６０Ｌと右背負いストラップ部６０Ｒとを連結するように設けられている。左胸ベルト１１０Ｌは係止バックル１１２を介して左背負いストラップ部６０Ｌに接続されており、右胸ベルト１１０Ｒは係止バックル１１２を介して右背負いストラップ部６０Ｒに接続されている。以下適宜、これら左・右胸ベルト１１０Ｌ，１１０Ｒを総称して単に「胸ベルト１１０」と称する場合がある。図示も同様である。
【００３３】
なお、左胸ベルト１１０Ｌには、左端部１１０ａと右端部１１０ｂとを連結・開放可能に構成された解結機構１１１（第１解結部に相当）が備えられている。解結機構１１１は、この例では左胸ベルト１１０Ｌの左端部１１０ａに一体化されたトング部１１１ａと、右端部１１０ｂに一体化されたバックル部１１１ｂと、を備えており、これらトング部１１１ａ及びバックル部１１１ｂが手動操作によって適宜に連結・解放可能となっている。なお、解結機構１１１は、図５に示すように、作業者Ｍから見た左右方向における作業者Ｍの中心線Ｋよりも左側（なお右側でもよい）に偏心した位置に設けられている。
【００３４】
＜腹ベルト＞
左・右腹ベルト１３０Ｌ，１３０Ｒの上端部は、図示しない適宜の取付具を介し、前述の係止具ベルト１２０とともに、胸ベルト１１０の左右方向中央部に一体的に取り付けられている。左・右腹ベルト１３０Ｌ，１３０Ｒの下端部には、取付カラビナ１３１が設けられている。
【００３５】
図５に示すように、左腹ベルト１３０Ｌの取付カラビナ１３１は、背負いプレート２０の左下端部に位置するアイプレート２０ＢＬの上記リング部２０ａに連結可能に構成されている。なお煩雑防止のため図５での図示を省略しているが、上記同様、右腹ベルト１３０Ｒの取付カラビナ１３１が、背負いプレート２０の右下端部に位置するアイプレート２０ＢＲのリング部２０ａに連結可能に構成されている（後述の図６、図１１参照）。なお、これら左・右腹ベルト１３０Ｌ，１３０Ｒの取付カラビナ１３１がリング部２０ａから取り外されると、左・右腹ベルト１３０Ｌ，１３０Ｒは、上端部が胸ベルト１１０の左右方向中央部に固定された状態のまま垂下した状態となる。この垂下が邪魔になる場合は、例えば胸ベルト１１０に適宜に設けた収納部内に左・右腹ベルト１３０Ｌ，１３０Ｒを収納するようにしてもよい。
【００３６】
なお、上記のように取付カラビナ１３１を取り外した状態で、左胸ベルト１１０Ｌの解結機構１１１を解放すると、左胸ベルト１１０Ｌの左端部１１０ａが左背負いストラップ部６０Ｌとともに作業者Ｍから見て左側へと広がって作業者Ｍの胸元を露出させる。したがって、上記左端部１１０ａが胸腹ベルト部１００の左側部分に相当している。一方、解結機構１１１を解放したとき、左胸ベルト１１０Ｌの右端部１１０ｂは、右背負いストラップ部６０Ｒ、係止具ベルト１２０、リング１２１、右胸ベルト１１０Ｒ、右腹ベルト１３０Ｒ、及び左腹ベルト１３０Ｌとともに、作業者Ｍから見て右側へと広がって作業者Ｍの胸元を露出させる。したがって、左胸ベルト１１０Ｌの右端部１１０ｂと、係止具ベルト１２０、リング１２１、右胸ベルト１１０Ｒ、右腹ベルト１３０Ｒ、及び左腹ベルト１３０Ｌが、胸腹ベルト部１００の右側部分に相当している。
【００３７】
＜作業服＞
作業者Ｍは、例えば消火活動を行うとき等、必要に応じて、作業服Ｄを着用する。この例では作業者Ｍは消防士であり、作業服Ｄはいわゆる防火衣である。作業服Ｄは、この例では、作業者Ｍが羽織る上着Ｅ（作業用上着に相当）と、作業者Ｍが履くズボンＦと、から構成されている。
【００３８】
＜レッグベルト＞
一方、本実施形態の特徴として、作業者保持具１は、図６に示すように、作業者Ｍの下半身を支えるための左・右一対のレッグベルト４０Ｌ，４０Ｒ(レッグベルト部)を備えている。レッグベルト４０Ｌ，４０Ｒは、それぞれ、一端側に相当する巻回部４０ａと、他端側に相当する延設部４０ｂと、を備えている。
【００３９】
延設部４０ｂは、端部に取付カラビナ４１を備えており、レッグベルト４０が使用される場合にはズボンＦから露出した状態で延設される。図６に示すように、レッグベルト４０Ｌにおいては、延設部４０ｂの取付カラビナ４１が、背負いプレート２０の左下端部の上記アイプレート２０ＢＬのリング部２０ａに連結される。すなわち、レッグベルト４０Ｌは、前述の左腹ベルト１３０Ｌと共通のアイプレート２０ＢＬに連結される。レッグベルト４０Ｒにおいては、延設部４０ｂの取付カラビナ４１が、背負いプレート２０の右下端部の上記アイプレート２０ＢＲのリング部２０ａに連結される。すなわち、レッグベルト４０Ｒは、前述の右腹ベルト１３０Ｒと共通のアイプレート２０ＢＲに連結される。なお、以下適宜、これらレッグベルト４０Ｌ，４０Ｒを総称して単に「レッグベルト４０」と称する場合がある。図示も同様である。
【００４０】
ここで、レッグベルト４０は、使用されない状態では、図７に示すように、ズボンＦの太腿部Ｆａに設けた収納部Ｆａ１内に、巻回部４０ａ及び延設部４０ｂが一体となって収納可能に構成されている。ズボンＦは、レッグベルト４０が使用されない通常時は、太腿部Ｆａのうち、レッグベルト４０を収納した収納部Ｆａ１の表面がカバー部Ｆｂによって覆われている。図８に示すように、カバー部Ｆｂは、適宜の手段、例えば面ファスナーＦｃ等を用いることで、太腿部Ｆａの他の部位に対して開閉可能に構成されている。
【００４１】
図８及び図９に示すように、レッグベルト４０の巻回部４０ａは、略円環状に形成されており、ズボンＦの収納部Ｆａ１に予め巻回配置されている。すなわち、収納部Ｆａ１は、作業者Ｍの太腿部に対応するズボンＦの上記太腿部Ｆａ内において、作業者Ｍの太腿部を周回するようにポケット状に形成されている。この結果、作業者ＭがズボンＦを履くだけで自動的に作業者Ｍの太腿部がレッグベルト４０により保持されるため、作業者Ｍの左・右の太腿部にレッグベルト４０が装着されることになる。なお、作業服Ｄを着用した状態では、作業者Ｍの太腿部とズボンＦの太腿部Ｆａは実質的にほぼ同じ部位であるため、以下適宜、それらを総称して単に「太腿部Ｆａ」と称する。
【００４２】
なお、延設部４０ｂが収納部Ｆａ１から取り出された後、前述のように背負いプレート２０の下端部のアイプレート２０Ｂへ連結するためにズボンＦの外部においてアイプレート２０Ｂへと延設される際には、図１０に示すように、上着Ｅに設けた開口部Ｅａを通されることで上着Ｅとの干渉回避が図られる。延設部４０ｂのアイプレート２０Ｂへの連結が終了したら、図７及び図６に示すように、カバー部Ｆｂは、延設状態の延設部４０ｂを押さえ込むようにしつつ再び閉じられて、収納部Ｆａ１の表面を覆う。
【００４３】
＜実施形態の効果＞
以上説明したように、本実施形態の作業者保持具１においては、上部に四角リンク２０Ａを備え呼吸器が取り付けられる背負いプレート２０と、左・右一対のレッグベルト４０Ｌ，４０Ｒと、を有する。各レッグベルト４０Ｌ，４０Ｒは、一端側が作業者Ｍの太腿部Ｆａに装着され、他端側が背負いプレート２０の下端部のアイプレート２０ＢＬ，２０ＢＲに連結可能である。これにより、予めレッグベルト４０を背負いプレート２０に連結した状態で高所作業を行うことで、作業者Ｍが宙づり状態になった時（又は救出のために吊り上げられる時）に加わる牽引荷重を、四角リンク２０Ａ→背負いプレート２０上部→背負いプレート２０左・右下端部のアイプレート２０Ｂ→左・右レッグベルト４０Ｌ，４０Ｒの経路で作業者Ｍの左・右太腿部Ｆａへと作用させることができる。この結果、作業者Ｍは、図１１に示すように、背負いプレート２０を背負った状態で背負いプレート２０ごと背中側から吊られる状態（以下適宜、この状態を「後吊り状態」と称する）となるとともに、上記経路によって太腿部Ｆａにおいても吊られた状態となる。これにより、この後吊り状態において、作業者Ｍを直立状態になるべく近い姿勢（図１１参照）で安定的かつ安全な状態に維持することができ、作業者Ｍの身体的負担を大きく低減することができる。特に、胴ベルト型安全帯を用いる場合のような腰部の屈折や受傷の危険等が生じるのを防止できる。なお、上記の際、前述の上記リブ２８Ｌ，２８Ｒ及びリブ２９Ｌ，２９Ｒでの強度補強によって、上記経路で牽引荷重を確実にアイプレート２０Ｂへと伝達できる効果もある。
【００４４】
また、本実施形態では特に、レッグベルト４０が巻回部４０ａと延設部４０ｂとを備えている。巻回部４０ａは予めズボンＦの太腿部Ｆａに巻回配置されている。またこの巻回部４０ａのみならず、延設部４０ｂも一体となって、ズボンＦに設けた収納部Ｆａ１内に収納可能である（図７、図８参照）。これにより、作業者Ｍは、前述のように吊り上げられる必要のない準備状態や通常作業状態ではレッグベルト４０全体を収納部Ｆａ１内に収納しておくことで、邪魔にならないようにすることができる。
【００４５】
また、本実施形態では特に、レッグベルト４０の延設部４０ｂは、収納部Ｆａ１から取り出され背負いプレート２０のアイプレート２０Ｂへと連結された状態では、ズボンＦの外部において、作業者Ｍが羽織る上着Ｅに設けた開口部Ｅａを通されつつアイプレート２０Ｂへと延設される（図１０及び図１１参照）。これにより、レッグベルト４０の延設部４０ｂを収納部Ｆａ１から取り出して背負いプレート２０のアイプレート２０Ｂに連結するとき、上着Ｅが干渉し邪魔になるのを防止できる。
【００４６】
また、本実施形態では特に、一端側が背負いプレート２０の上部に接続され、作業者Ｍの肩越しに胸側を経て作業者Ｍの腋下を通された後、他端側が背負いプレート２０の下部へと接続される背負いストラップ部６０を備える。これにより、作業者Ｍが吊られる際、背負いプレート２０への牽引荷重を作業者Ｍの左・右肩部へ作用させることで、作業者Ｍを、背負った背負いプレート２０ごと確実に吊ることができる。
【００４７】
また、本実施形態では特に、胸腹ベルト部１００が設けられる。この胸腹ベルト部１００は、一端側にリング１２１を有し、中間部が背負いストラップ部６０に連結され、さらに他端側が前述の背負いプレート２０の下端部に連結可能となっている（図５及び後述の図１２参照）。これにより、前述のようにレッグベルト４０を背負いプレート２０左・右下端部のアイプレート２０Ｂに連結しておくという前提で、作業者Ｍを吊り上げる際に、胸腹ベルト部１００を背負いプレート２０の下端部に連結することで、牽引荷重を、リング１２１→胸腹ベルト部１００一端側→胸腹ベルト部１００他端側→背負いプレート２０左・右下端部のアイプレート２０Ｂの経路で作用させることができる。
この結果、作業者Ｍは、図１２に示すように、背負いストラップ部６０によって背負いプレート２０を背負った状態で、背負いプレート２０ごと胸側から吊られる状態（以下適宜、この状態を「前吊り状態」と称する）となるとともに、上記経路によって太腿部Ｆａにおいても吊られた状態となる。これにより、この前吊り状態においても、作業者Ｍを直立状態になるべく近い姿勢（図１２参照）で安定的かつ安全な状態に維持することができる。したがって、吊られる作業者Ｍの身体的負担を大きく低減することができる。
【００４８】
また、本実施形態では特に、背負いプレート２０の作業者Ｍ側下部に腰当て部８０が設けられ、さらに腰当て部８０から腰ベルト部９０が設けられて作業者Ｍの腰部を一周するように巻回される（図５、図６参照）。これにより、作業者Ｍが背負いプレート２０を背負う時の緩衝を図り、異物感を防止して楽に長時間装着することができる。また前述したレッグベルト４０の連結時には、左レッグベルト４０Ｌが作業者Ｍの太腿部Ｆａから背負いプレート２０の左下端部のアイプレート２０ＢＬへ延びて連結され、右レッグベルト４０Ｒが作業者Ｍの太腿部Ｆａから背負いプレート２０の右下端部のアイプレート２０ＢＲへ延びて連結され、そしてさらにこの腰当て部８０からの腰ベルト部９０が作業者Ｍの腰部を一周するように巻回される。これにより、作業者Ｍの背面側において、左レッグベルト４０Ｌと、右レッグベルト４０Ｒと、腰当て部８０及び腰ベルト部９０と、の３つによって作業者Ｍの臀部を安定的に保持することができる。
【００４９】
また、本実施形態では特に、胸腹ベルト部１００及び腰ベルト部９０が、解結機構１１１及び解結機構９１においてそれぞれ左側部分と右側部分とに切り離し可能に構成されている。そして、各解結機構１１１，９１は、作業者Ｍの中心線Ｋ、言い換えれば左右方向中心よりも左側（又は右側）に偏心して設けられている。これにより、前述の前吊り状態での便宜のために胸腹ベルト部１００のリング１２１を左右方向の中心位置近傍に設けた構造とした場合（例えば図５参照）であっても、上記解結機構１１１，９１の切り離し状態で作業者保持具１を装着（又は取り外す）際に、切り離した右側部分（又は左側部分）のほうにリング１２１を随伴させることで、特に支障なく円滑に上記装着（又は取り外し）を行うことができる。
【００５０】
なお、以上は落下の危険のある高所作業を行う作業者の一例として消防士を例にとって説明したが、空気呼吸器を背負った状態で活動を行う状況があり得る他の作業者、例えば山岳救助隊員、自衛隊員、警察官、その他の特殊作業従事者等においても本発明は適用でき、その場合も同様の効果を得る。
【００５１】
なお、以上の説明において、「垂直」「平行」「平面」等の記載がある場合には、当該記載は厳密な意味ではない。すなわち、それら「垂直」「平行」「平面」とは、設計上、製造上の公差、誤差が許容され、「実質的に垂直」「実質的に平行」「実質的に平面」という意味である。
【００５２】
また、以上の説明において、外観上の寸法や大きさが「同一」「等しい」「異なる」等の記載がある場合は、当該記載は厳密な意味ではない。すなわち、それら「同一」「等しい」「異なる」とは、設計上、製造上の公差、誤差が許容され、「実質的に同一」「実質的に等しい」「実質的に異なる」という意味である。
【００５３】
また、以上既に述べた以外にも、上記実施形態や各変形例による手法を適宜組み合わせて利用しても良い。
【００５４】
その他、一々例示はしないが、本発明は、その趣旨を逸脱しない範囲内において、種々の変更が加えられて実施されるものである。
【符号の説明】
【００５５】
１                作業者保持具
２０              背負いプレート
２０Ａ            四角リンク（第１係合部）
２０ＢＬ，ＢＲ    アイプレート
４０ａ            巻回部
４０ｂ            延設部
４０Ｌ，Ｒ        レッグベルト（レッグベルト部）
６０Ｌ，Ｒ        背負いストラップ部
８０              腰当て部
９０Ｌ，Ｒ        腰ベルト部      
９１              解結機構（第２解結部）
１００            胸腹ベルト部
１１１            解結機構（第１解結部）
１２１            リング（第２係合部）
ＣＦ              吊上カラビナ（吊上具）
ＣＲ              吊上カラビナ（吊上具）
Ｅ                上着（作業用上着）
Ｅａ              開口部
Ｆ                ズボン（作業用ズボン）
Ｆａ              太腿部
Ｆａ１            収納部
Ｋ                左右方向の中心線
Ｍ                作業者
【要約】
【課題】呼吸器を背負って吊られる状態となった作業者の身体的負担を低減する。
【解決手段】作業者保持具１は、作業者Ｍの背中に背負われ、反作業者Ｍ側に呼吸器が取り付けられる背負いプレート２０と、背負いプレート２０の上部に設けられ、吊上カラビナＣＲが係合可能な四角リンク２０Ａと、一端側が作業者Ｍの左・右太腿部Ｆａに装着され、他端側が背負いプレート２０の左・右下端部のアイプレート２０ＢＬ，２０ＢＲにそれぞれ連結可能な左・右一対のレッグベルト４０Ｌ，４０Ｒと、を有する。
【選択図】図１１【図１】
0006837698.tif 000002
【図２】
0006837698.tif 000003
【図３】
0006837698.tif 000004
【図４】
0006837698.tif 000005
【図５】
0006837698.tif 000006
【図６】
0006837698.tif 000007
【図７】
0006837698.tif 000008
【図８】
0006837698.tif 000009
【図９】
0006837698.tif 000010
【図１０】
0006837698.tif 000011
【図１１】
0006837698.tif 000012
【図１２】
0006837698.tif 000013